Podtech/llm-jp-corpus-v4-ja_patent huggingface dataset:
(57)【要約】      （修正有）【課題】巻取りパイプ内に内蔵したバネとクラッチ機構により、簡便に既存のボディーカバーを被せたり、また、剥がすことのできる自動車用ボディーカバー装置を提供する。【解決手段】巻取りパイプ内にバネと、クラッチ機構を設置し、クラッチ機構の採用により、バネとクラッチ機構の効果で、既存のボディーカバーの脱着収納を簡便に行うことができる。また、クラッチ機構の効果により、ボディーカバーを脱着途中に一旦停止状態が保たれ、ドアやボンネットの開閉，アンテナ等の収納など、より細やかな作業を行なうことが可能となる。【選択図】図１
0003114774.tif 000002
【実用新案登録請求の範囲】
【請求項１】
巻取りパイプ内にバネとクラッチ機構を内蔵したことが、この装置の特徴である。既存の自動車用ボディーカバーを、巻取りパイプ内に内蔵したバネとクラッチ機構により、ボディーカバーの脱着途中にシートカバーを軽くシャクルだけで停止やスタートが可能となり、ボディーカバーの脱着途中にドアやボンネットの開閉，アンテナ等の収納など、より細やかな作業を行うことが可能となる。
【請求項２】
車にボディーカバーを被せた状態で、クラッチ機構の停止をはずしてセットすれば、巻取りパイプ内のバネの効果によりテンションがかかり、シートカバーを強い力で巻取りパイプに巻込む力が加わり、強風等によるシートカバーの脱離を防ぐことを特徴とした装置である。
【請求項３】
屋外設置の巻取り装置であり、ボディーカバーを使用しない場合は、巻取り軸に巻き込まれたボディーカバーが風雨や汚れの影響を回避するため、収納装置に収納されることになる。上記請求項の特徴を施工するための、収納装置の固定方法が特徴である。
収納装置の重量を増し収納装置の固定のため、収納装置内にコンクリートブロックやレンガや砂入り袋等の重量物を入れるスペースを有し、収納装置全体の重量を増すことで、本装置をより強固に収納装置を固定することができることが、この装置の特徴である。
【考案の詳細な説明】
【技術分野】
【０００１】  本考案は、巻取りパイプ内に内蔵したバネとクラッチ機構により、簡便に既存のボディーカバーを被せたり、また、剥がすことのできる自動車用ボディーカバー装置に関するものである。
【背景技術】
【０００２】  自動車用ボディーカバーを使用した場合、現状は、車に被せたり、車から剥がしたボディーカバーを収納する際、著しく効率が悪く面倒なものであった。面倒がゆえにボディーカバーを所有しているにもかかわらず、使用していないことが現状である。駐車中にボディーカバーを車に被せていることで、車体の保護だけではなく盗難の予防に役立つ。
【考案の開示】
【考案が解決しようとする課題】
【０００３】  自動車にボディーカバーを被せたり、ボディーカバーを剥がし、折りたたみ収納することは非常に面倒であったことを解決しようとするものである。  巻取りパイプ内に内蔵した、バネとクラッチ機構により、ボディーカバーの脱着途中に、ドアやボンネットの開閉，アンテナ等の収納など、より細やかな作業が可能となる。
【課題を解決するための手段】
【０００４】  本考案は、既存のボディーカバーを巻取りパイプに巻き付け、巻取りパイプ内に内蔵したバネとクラッチ機構の効果により、簡便にボディーカバーの脱着ができる。クラッチの機能により脱着途中には、より細やかな作業を行うことが、本考案を解決している。
【考案の効果】
【０００５】  上述はもとより、より多くの人々がボディーカバー脱着作業による苦労から開放され、自動車の保護や盗難予防に役立つことにつながる。
【考案を実施するための最良の形態】
【０００６】  巻取りパイプ内の片側にバネを設置し、反対側にはクラッチ機構を設置する。【０００７】  収納装置内に巻取パイプを設置し、巻取りパイプ内のバネにテンションをかける。常に巻取り軸は、ボディーカバーを巻取ろうとする状態にし、フックでボディーカバーを固定するか、または、バネのテンションを掛けた後、クラッチをストップの状態で待機する。【０００８】  収納装置を強固に固定するため、収納装置内にコンクリートブロックやレンガや砂入り袋等の比重の高い重量物を収納するスペースを設け、重しにより収納装置を強固に固定する。
【実施例】
【０００９】  以下添付図面に従って実施例を説明する。
【産業上の利用可能性】
【００１０】  自宅駐車場や賃貸契約の青空駐車場で、本考案を活用することが目的である。
【図面の簡単な説明】
【００１１】
【図１】巻取りパイプ内に内蔵された、バネとクラッチの詳細図
【図２】本考案の収納装置を開いた状態の斜視図
【図３】自動車が収納装置に接近した状態の側面図
【図４】収納スペース内にコンクリートブロックを配備した、固定状態の斜視図
【図５】本考案の収納装置を閉じた状態の斜視図
【符号の説明】
【００１２】  １  バネ
２  クラッチ
３  巻取りパイプ
４  バネのテンション可変孔
５  既存のボディーカバー
６  フック
７  重し収納スペース
８  輪止め
９  コンクリートブロック
１０  収納装置
【図１】
0003114774.tif 000003
【図２】
0003114774.tif 000004
【図３】
0003114774.tif 000005
【図４】
0003114774.tif 000006
【図５】
0003114774.tif 000007
【手続補正書】
【提出日】平成17年6月27日(2005.6.27)
【手続補正１】
【補正対象書類名】実用新案登録請求の範囲
【補正対象項目名】全文
【補正方法】変更
【補正の内容】
【実用新案登録請求の範囲】
【請求項１】
収納装置の巻取りパイプ内片端に長尺のバネを有し、反対側の巻取りパイプ内片端にクラッチ機構を有することを特徴とする、自動車用ボディーカバー収納装置。
【請求項２】
収納装置内に重しを収納するスペースを有し、重量を増すことで収納装置を固定する請求項１記載の自動車用ボディーカバー収納装置。
(57)【要約】【課題】本考案は、カップ本体に広く市販されている歯ブラシを支持する機能を設けて、片手が不自由な場でも、ブラシに歯磨き剤を付けることができる。【解決手段】本考案は、カップの淵に突起ａ、ａ″相対する位置にｂ、ｂ″及び把手上部に差込み部ｄを設け、歯ブラシをその間に渡し、ヘッドの先端をｄに差し入れて歯ブラシを支持することで、片手が不自由な場合、両手でチューブを絞って歯磨き剤を出して、歯ブラシに付けたりする時に補助するカップである。【選択図】図１
0003114775.tif 000002
【実用新案登録請求の範囲】
【請求項１】
カップの淵の両側に突起ａとａ′、ｂとｂ′を設けて、突起の間に上向きにした歯ブラシの柄を渡し、更に、歯ブラシのヘッドの先を把手の上部に設けたｄに差し入れることによって、歯ブラシを手で持つことがなく、片手が不自由な人等が歯を磨く際に補助する、歯ブラシ支持の機能を備えたことを特徴としたカップ。
【考案の詳細な説明】
【技術分野】
【０００１】  本考案は、カップの淵上に突起と把手の上部に歯ブラシの支持の機能を備えたカップに関するものである。
【背景技術】
【０００２】  片手が不自由な場合、チューブから練り歯磨き剤を出して、歯ブラシに付ける際、或いは、両手で残り少なくなった歯磨き剤をチューブから押し出して歯ブラシに付ける際に通常のカップの上や洗面台に置くなどしていた。
【考案の開示】
【考案が解決しようとす課題】
【０００３】  歯ブラシを不安定な場所に置き、歯磨き剤を歯ブラシに付ける行為は容易なことでなく、歯磨き剤を他所に落としたりする。又、一時的にせよ歯ブラシを洗面台などに接することは、衛生面からみて問題である。
【０００４】  上述より、本考案は歯ブラシを安定性のある、衛生的な場所に置くことのできるカップを提供することで、解決しようとするものである。
【課題を解決するための手段】
【０００５】  本考案は、カップの淵に設けた相対する２箇所ずつの突起との間に、上向きにした歯ブラシを渡して、歯ブラシのヘッド先端を把手上に設けた差込み部に差し入れて使用することにより、歯ブラシの安定性と衛生面を解決する。
【実施例】
【０００６】  以下、添付図面に従って一実施例を説明する。１は合成樹脂等の適宜素材で形成されたカップ本体の淵上には、突起ａとａ″、及び相対する位置にｂとｂ″が設けられており、その間に広く市販されている歯ブラシを上向きに渡し、歯ブラシの先端を把手上部のｄに差し入れながら、ｃの面にヘッドを置いた後、歯磨き剤をブラシに付けて使用する。
【図面の簡単な説明】
【０００７】
【図１】本考案の上から見た図である。
【図２】本考案の正面図である。
【図３】歯ブラシを支持した一実施例である。
【符号の説明】
【０００８】１、カップ本体
ａ、ａ″、ｂ、ｂ″、突起
ｃ、歯ブラシ支持台
ｄ、差込み部
【図１】
0003114775.tif 000003
【図２】
0003114775.tif 000004
【図３】
0003114775.tif 000005
【手続補正書】
【提出日】平成17年6月28日(2005.6.28)
【手続補正１】
【補正対象書類名】実用新案登録請求の範囲
【補正対象項目名】請求項１
【補正方法】変更
【補正の内容】
【請求項１】
カップ淵の両側に突起ａとａ′、ｂとｂ′を設けて、突起の間に上向きにした歯ブラシの柄を渡し、更に歯ブラシのヘッドの先を把手の上部に設けた差込み部ｄに差し入れることによって、歯ブラシを手で持つことがなく、片手が不自由な人等が歯を磨く際に補助する、歯ブラシ支持の機能を備えたことを特徴としたカップ。
(57)【要約】      （修正有）【課題】火力に強く、耐湿性に優れ、煮物、焼物、燻製、蒸料理等の幅広く利用が可能な調理機器と暖房機として利用できる七輪を提供する。【解決手段】  上部の天蓋と下部受台とでつぼ焼き構造とし、受台にはコンロを載置して成るもので、天蓋を外した時には煮物、焼物用七輪として使用し、天蓋を取付けたときには燻製、蒸料理用の七輪及び暖房機として使用する。【選択図】図１
0003114712.tif 000002
【実用新案登録請求の範囲】
【請求項１】
つぼ焼きのつぼをほぼ中央部で二分し、上部の天蓋と下部の受台とし、該受台にはコンロを載置してなる七輪であって、前記天蓋を外したときには煮物や焼物の七輪として使用し、前記天蓋を着けたときは燻製や蒸料理用の七輪、及び暖房機として使用するものであって、前記天蓋と受台とコンロとは焼締にして火力に強く耐湿性に優れた焼物で構成したことを特徴とする七輪。
【考案の詳細な説明】
【技術分野】
【０００１】
本考案は七輪に関する。
【背景技術】
【０００２】
従来七輪は小型でコンパクトで長い間使われてきたが、湿気やふきこぼれ等による水気を吸収しやすく、破損しやすい。
【考案の開示】
【考案が解決しようとする課題】
【０００３】
七輪の材質に問題があり、湿気に強い材料を使用し、粘土と炎により火力にも強い登り窯による素焼きと焼き締め技術によって、湿気に強く、耐熱性に優れた長寿命の七輪で、通常の七輪としての使い方の他に、燻製、蒸焼きができ、かつ暖房機としても使うことのできる七輪を提供することを目的としている。
【課題を解決するための手段】
【０００４】
本考案は、つぼ焼きのつぼをほぼ中央部で二分し、上部の天蓋と下部の受台とし、該受台にはコンロを載置してなる七輪であって、天蓋を外したときには煮物や焼物の七輪として使用し、天蓋を着けたときは燻製や蒸料理用の七輪、及び暖房機として使用するものであって、前記天蓋と受台とコンロとは焼締にして火力に強く耐湿性に優れた焼物で構成したものである。
【考案の効果】
【０００５】
本考案は、上述の様に構成されているので、受台とその内側に置いたコンロによって通常の七輪として使用することができ、更に天蓋を着けたときは燻製や蒸料理ができ、また暖房機としての機能を有した万能七輪として使うことができる。また天蓋、受台、コンロを焼締にしたので、耐湿、耐火性に優れた長寿命の七輪である。
【０００６】
この考案はコンロとつぼで構成され、肉、魚、野菜等、料理の素材を生かしたうまみを引き出す焼き物に適している。  下の部分は火床となるコンロを配し、五徳、焼き網、つるし焼き用のフックを備え、さらに三段目は煙突形のカートリッジを取り付けることにより一酸化炭素除去機能を付加した排気構造として機能する。
従って、住宅等のベランダ、居間、食堂等で利用する場合は換気に注意してホームパーティーに利用できる。肉、魚、野菜等の焼き物、鍋料理等、万能に利用できると共に、上部を外した利用も可能にしている。
料理自慢、あるいは子供達との絆を強くし、子供達には一生忘れられない思い出を作ることができる。
一家団欒、友達とのレクリエーションにも有効活用できる。
【考案を実施するための最良の形態】
【０００７】
以下、図面に示す考案を実施するための最良の形態により、本考案を詳細に説明する。
【０００８】
図１ないし図５の本考案を実施するための最良の第1の形態において、２は天蓋であり、１はその天蓋の排気口である。  ４は受台であり、３はその受台のつぼであって、天蓋２を受ける面となっている。  ５は受台の下部に設けられた空気孔で、６は受台を支える足である。
７はコンロであり受台の内側に載置される。  １０はコンロの下部に設けられた空気孔であり、１１はコンロの壁がわに設けられた通風孔である。  ９はコンロ７の内部の下面に敷かれる灰落としのロストルであり、このロストルのうえに燃料である木炭等が置かれる構造になっている。  ８は煙突で排気口１の上部に配置され排気を換気扇等、外部へ逃すものである。
【０００９】
特に、天蓋２と受台４とコンロとには約１０００℃の火力に耐え、かつ耐湿性に優れた性能を持たせるため、先ず形を整えるために登り窯で素焼きをした後、焼締技術により２度目の焼き上げ処理をしてある。
【００１０】
素焼きの時点で天蓋と受台は寸法を合わせ重ねることが重要で、焼き上げる時に約２％位の縮小が生じるので、別々に焼いた場合に合体することが難しい。
【００１１】
焼き締めする時も上記と同様に、合体させて仕上げる。
【００１２】
次に、２種類の使い方を説明する。  即ち１つは焼物、煮物等、火力源となる七輪としての使い方であり、二つ目は燻製、蒸器及び暖房機としての使い方である。
【００１３】
図２、図３、図４、図５と焼締技術によってコンロ受台図３とコンロ（火床）図４とロストル（灰落し）図５を組み込みセットする。
【００１４】
組み込んでセットしたコンロの中に木炭を入れて点火し、料理を開始する。
【００１５】
料理を終えた後、煙突８と天蓋２を装着し、図１の状態とする。
【００１６】
この状態で、燻製や焼き芋等、蒸焼きが出来る。
【００１７】
本考案は、料理の原点である野菜、魚、肉等々、焼く、蒸す、煮る方法について述べたが、その他の料理の熱源として利用できることは明白である。
【００１８】
その原点である熱源を司る七輪である。
【００１９】
使用中特に注意することは幼児に対する気配りで、火傷に対する安全策を講じる事が重要である。
【００２０】
又、煙突より排出される排気を、換気扇などで室外へ導くことは欠かせない。
【産業上の利用可能性】
【００２１】
本考案は、七輪を製造する産業で利用される。
【図面の簡単な説明】
【００２２】
【図１】本考案の要部を破断して示した正面図である。
【図２】天蓋の正面図である。
【図３】受台の要部を破断して示した正面図である。
【図４】コンロの要部を破断して示した正面図である。
【図５】ロストルの斜視図である。
【符号の説明】
【００２３】
１  排気口
２  天蓋
３  （受台の）つば
４  受台
５  （受台の）空気穴
６  足
７  コンロ
８  煙突
９  ロストル
１０  （コンロの）空気孔
１１  （コンロの）通気孔
【図１】
0003114712.tif 000003
【図２】
0003114712.tif 000004
【図３】
0003114712.tif 000005
【図４】
0003114712.tif 000006
【図５】
0003114712.tif 000007
(57)【要約】      （修正有）【課題】従来のドリンクホルダーはそれに入れる灰皿はあるものの、それを使用すると飲料等が置けなくなり本来の機能が失われるという問題点があった。【解決手段】ドリンクホルダーと灰皿を一体化させることにより機能性を向上させることができる。【選択図】    図１
0003114794.tif 000002
【実用新案登録請求の範囲】
【請求項１】
ドリンクホルダーと灰皿を一体化させる事により機能性を向上させたドリンクホルダー
【考案の詳細な説明】
【考案の詳細な説明】
【技術分野】
【０００１】本考案はドリンクホルダーと灰皿を一体化させた物に関するものである。
【背景技術】
【０００２】  ・ドリンクホルダー
・灰皿
【考案の開示】
【考案が解決しようとする課題】
【０００３】従来のドリンクホルダーは、それに入れる灰皿はあるものの、それを使用すると、飲料等が置けなくなり、本来の機能が失われるという問題点。
【課題を解決する為の手段】
【０００４】ドリンクホルダーと開閉式の灰皿を一体化させる事により機能性を向上させる。
【考案の効果】
【０００５】  ・飲料を置いたままでも灰皿を使用する事ができる。
・車両に備え付けてある灰皿の多くは中央部に設置されているため、それを使用する際は、無理な体勢をとらざるを得なくなり、又、視線も中央部に集中しがちになってしまうが、本考案を運転席側に使用することにより無理な体勢をとらなくて良くなり、又、視線移動も短くなる為、運転の安全性の向上が期待出来る。
・窓の近くに設置すれば、タバコのポイ捨ての減少も期待できる。
【図面の簡単な説明】
【図１】本考案の斜視図である。
【符号の説明】
１  ドリンクホルダー本体
２  灰皿部分
【図１】
0003114794.tif 000003
(57)【要約】      （修正有）【課題】吸収した汗や匂いを靴下や靴に移りにくくした使い捨ての履物の提供。【解決手段】消臭剤配合のコットンメッシュシートで足の汗を吸収し靴下の中に履く使い捨ての履物であって、靴の中の汗は大半が足の裏半分位から前の指の方で出るので、この履物の大きさも足の前半分位にし、なおかつ靴下が履きやすく又、足の指の汗も吸収しやすくする為この履物の前部に足の指がかくれる位まで折り返しを付け、又、消臭剤配合のコットンメッシュシート１の裏面は防水シート２を付けている為、コットンメッシュシートが吸収した汗や匂いを靴下や靴に移りにくくした使い捨ての履物。【選択図】図２
0003114792.tif 000002
【実用新案登録請求の範囲】
【請求項１】
足の汗と匂いを取り、消臭剤配合のコットンメッシュシートで靴下の中に履く使い捨ての履物。
【請求項２】
靴下を履き易くするためと足の指周辺の汗や匂いを吸収しやすくするために足の指元位まで折返しを付けた使い捨ての履物。
【請求項３】
足の指元位まで折返した両端はコットンメッシュシート同士を着ける為のテープ又は糊で接着した使い捨ての履物。
【請求項４】
足に直接当たる面に消臭剤配合のコットンメッシュシートを使用し、その裏面には防水シートを付けている為、吸収した汗や匂いを靴下や靴に移りにくくした使い捨ての履物。
【考案の詳細な説明】
【技術分野】
【考案が解決しようとする課題】
【０００１】従来、一日中靴を履いていると季節を問わず、靴を脱ぐと足に汗をかいているため靴下や靴にいやな匂いが着いていました。現在ある靴の中敷では、靴下に着いた匂いや靴に着いた匂いはあまり取れませんでした。
【課題を解決するための手段】
【０００２】足の汗と匂いを取り、消臭剤配合のコットンメッシュシートで靴下の中に履く使い捨ての履物。
靴下を履き易くするためと足の指周辺の汗や匂いを取り易くするために足の指元位まで折返しを付けた使い捨ての履物。
足の指元位まで折返した両端はコットンメッシュシート同士を着ける為のテープ又は糊で接着した使い捨ての履物。
足に直接当たる面に消臭剤配合のコットンメッシュシートを使用し、その裏面には防水シートを付けている為、吸収した汗や匂いを靴下や靴に移りにくくした使い捨ての履物。
【背景技術】
【０００３】従来、サンダル、靴等の消臭作用を目的としたものとしては、実用新案登録第３０９９８２６号があり、消臭作用を有するカテキンを中敷き裏面に浸透させ、このカテキンが浸透した中敷き裏面を履物底に接着するものが開示されている。
【考案が解決しようとする課題】
【０００４】しかし、一日中靴を履いていると、足に直接靴下を履いているため足に汗をかいてしまい靴下や靴にいやな匂いがついてしまいました。
【考案の効果】
【０００５】本考案に係わる履物は、足に直接触れる部分に吸汗性の良いコットンメッシュシートを使用し、それに消臭剤を配合させ、その裏面には防水シートを付けている為、吸収した汗や匂いを靴下や靴に移しにくくします。
【考案を実施するための最良の形態】
【０００６】考案の実施の形態を実施例にもとずいて図面を参照して説明する。
図１は本考案実施例である使い捨ての履物の正面図であり、図２は斜視図、図３は断面図で靴下の中に履く使い捨ての履物を示したものである。
【産業上の利用可能性】
【０００７】本考案は使い捨ての為、衛生的であり靴下や靴にいやな匂いが付きにくく、靴や靴下が従来より長持ちする可能性もあります。
【図面の簡単な説明】
【０００８】
【図１】本考案の一実施例である靴下の中に履く使い捨ての履物の正面図
【図２】本考案の一実施例である靴下の中に履く使い捨ての履物の斜視図
【図３】本考案の一実施例である靴下の中に履く使い捨ての履物の断面図
【符号の説明】
【０００９】１コットンメッシュシート
２防水シート
３足の指先を入れて吸汗と靴下が履けるようにしたもの
４巾５ｍｍから１０ｍｍ位のコットンメッシュシート同士を着ける為のテープ又は糊
【図１】
0003114792.tif 000003
【図２】
0003114792.tif 000004
【図３】
0003114792.tif 000005
(57)【要約】【課題】必要時に内部の水位を調べることができ、不必要時には扉片を閉じて水槽内における雑菌の繁殖を防ぐことができる高層ホテル等の地上階及び屋上には洗浄水用受水槽並びに洗浄水用高架水槽等の洗浄水槽を提供する。【解決手段】洗浄水槽本体１の一側に上下に設けられた側管３，３により洗浄水槽本体１に連通するバイパス管２を取り付け、バイパス管２内には監視電極棒6a,6b,6c,6d,6eを挿設した洗浄水槽において、バイパス管２を透視部材で構成すると共に、バイパス管２にはその外周面に沿って形成されたガイド部９とガイド部９に沿って摺動する扉片10から構成される覆い部を設けるようにした洗浄水槽。【選択図】図１
0003114791.tif 000002
【実用新案登録請求の範囲】
【請求項１】
洗浄水槽本体の一側に上下に設けられた側管により洗浄水槽本体に連通するバイパス管を取り付け、該バイパス管内には監視電極棒を挿設した洗浄水槽において、上記バイパス管の一部又は全部を透視部材で構成すると共に、透視部材で構成されたバイパス管には開閉可能な覆い部を設けるようにしたことを特徴とする洗浄水槽。
【請求項２】
覆い部がバイパス管の外周面に沿って形成されたガイド部と該ガイド部に沿って摺動する扉片から構成される請求項１記載の洗浄水槽。
【考案の詳細な説明】
【技術分野】
【０００１】
この考案は、内部に監視電極棒を挿設する洗浄水槽の改良に関するものである。
【背景技術】
【０００２】
高層ホテル等の地上階及び屋上には洗浄水用受水槽並びに洗浄水用高架水槽等の洗浄水槽が設置され、客室等で使用する洗浄水は、洗浄水用受水槽から洗浄水を洗浄水用高架水槽に揚水し、この高架水槽から枝管を通って各階の客室等に供給するようにしている。
【０００３】
そして、これら洗浄水槽には水槽内の減水警報、給水ポンプの起動、水槽内の満水警報、給水ポンプの停止等を指示するための複数の監視電極棒が挿設され、水槽内が適正な水位に保たれるようにしている。
【０００４】
このような洗浄水槽において水槽内の水位を外部より目視できるようにすれば好都合であり、本願考案者らは、先に洗浄水槽本体の一側に上下に設けられた側管により洗浄水槽本体に連通するバイパス管を取り付け、該バイパス管の上端を開口部とし、該開口部には着脱可能に蓋体を設けると共に、該蓋体の裏面に監視電極棒を取り付けるようにした洗浄水槽を提案すると共に、バイパス管を透視部材で構成して洗浄水槽の水位及び監視電極棒の汚れ具合等をを外部より目視することができる提案をした。
【特許文献１】特開2000-240956
【考案の開示】
【考案が解決しようとする課題】
【０００５】
しかし、バイパス管を透視部材で構成すれば、洗浄水槽の水位及び監視電極棒の汚れ具合等をを外部より目視することができる反面、可視光線がバイパス管より水槽内に侵入するため、水槽内で可視光線により雑菌が繁殖するという難点がある。
【課題を解決するための手段】
【０００６】
この考案では、上記実情に鑑み、洗浄水槽本体の一側に上下に設けられた側管により洗浄水槽本体に連通するバイパス管を取り付け、該バイパス管内には監視電極棒を挿設した洗浄水槽において、上記バイパス管の一部又は全部を透視部材で構成すると共に、透視部材で構成されたバイパス管には開閉可能な覆い部を設けるようにした洗浄水槽を提案するものである。
【０００７】
即ち、この考案では必要時においては覆い部を開き、透視部材で構成されるバイパス管を通して水槽内の水位を調べ、不必要時には覆い部を閉じて可視光線の侵入を阻止して水槽内における雑菌の繁殖を防ぐものである。
【０００８】
この考案において、覆い部は例えばバイパス管の外周面に沿って形成されたガイド部と該ガイド部に沿って摺動する扉片から構成される。
【考案の効果】
【０００９】
この考案によれば、高層ホテル等の地上階及び屋上には洗浄水用受水槽並びに洗浄水用高架水槽等の洗浄水槽において必要時に内部の水位を調べることができ、不必要時には扉片を閉じて水槽内における雑菌の繁殖を防ぐことができる。
【考案を実施するための最良の形態】
【００１０】
洗浄水槽本体の一側に上下に設けられた側管により洗浄水槽本体に連通するバイパス管を取り付け、該バイパス管内には監視電極棒を挿設した洗浄水槽において、上記バイパス管を透視部材で構成すると共に、該バイパス管にはその外周面に沿って形成されたガイド部と該ガイド部に沿って摺動する扉片から構成される覆い部を設けるようにした洗浄水槽。
【実施例１】
【００１１】
以下、この考案を図示の実施例に基づいて説明すると、１は例えば高層ホテル等に設置される洗浄水用受水槽並びに洗浄水用高架水槽等の洗浄水槽本体、２はバイパス管であり、バイパス管２は上下に設けられた側管３，３により洗浄水槽本体１と連通させる。
【００１２】
一方、４はバイパス管２の上端に設けられた上管であり、上管４の上端開口部には着脱可能に蓋体５を設け、蓋体５の裏面に監視電極棒6a,6b,6c,6d,6eを取り付け、監視電極棒6a,6b,6c,6d,6eはコネクター７を介して制御盤（図示せず）の接続ケーブル８に接続される。
【００１３】
一方、バイパス管２は透明材質で構成され、側管３，３及び上管４を不透明材質で構成し、透明材質で構成されるバイパス管２の外周には半円筒状のガイド部９とガイド部９の内周面に沿って摺動する半円筒状の扉片10が設けられる。
【００１４】
以上の構成により、この考案によれば監視電極棒6a,6b,6c,6d,6eを洗浄するには、蓋体５をバイパス管２の開口部４より外し、監視電極棒6a,6b,6c,6d,6eとバイパス管２の内部を簡単に洗浄できる。
【００１５】
また、この考案によれば扉片10を開けば透明材質で構成されるバイパス管２を通して内部を透視できるので、必要に応じて洗浄水槽本体１の水位をしら調べることができる。
【００１６】
更に、不必要時には扉片10を閉じれば、バイパス管２を通しての可視光線の侵入を防ぐことができるので、水槽内における雑菌の繁殖を防ぐことができる。
【産業上の利用可能性】
【００１７】
この考案によれば、必要時に内部の水位を調べることができる高層ホテル等の地上階及び屋上には洗浄水用受水槽並びに洗浄水用高架水槽等の洗浄水槽を提供できる。
【図面の簡単な説明】
【００１８】
【図１】この考案の一実施例を示す縦断側面図
【図２】同上の実施例におけるバイパス管上端部の縦断側面図
【図３】同上の実施例における扉片を開いた状態のＡ−Ａ断面図
【図４】同上の実施例における扉片を閉じた状態のＡ−Ａ断面図
【符号の説明】
【００１９】
１は洗浄水槽本体
２はバイパス管
３，３は側管
４は上管
５は蓋体
6a,6b,6c,6d,6eは監視電極棒
７はコネクター
８は接続ケーブル
９はガイド部
10は扉片
【図１】
0003114791.tif 000003
【図２】
0003114791.tif 000004
【図３】
0003114791.tif 000005
【図４】
0003114791.tif 000006
(57)【要約】【課題】本考案は、安全を目的とした補助用具である。様々な使用目的に対応でき、自由自在に大きさ・形の変更可能な安全補助用具として活用でき、尚家庭の用水や光熱費の節約にもなり、癒しのものとなることを目的とする。【解決手段】本考案は、溶液や空気の封入された複数の弾性体を袋状の梱包体に包むことで、弾性体の移動により、身体との密着にて安定感を与えるとともに、少数の弾性体が破損しても安全を保つことが出来る。更に使用者の使用目的・感触性で異なるが,自由自在に変更可能な安全補助用具としている。【選択図】        図1
0003114724.tif 000002
【実用新案登録請求の範囲】
【請求項１】
溶液又は空気の封入された複数の弾性体が袋状の梱包体に包まれた安全補助用具
【考案の詳細な説明】
【技術分野】
【０００１】
本考案は、使用者の入浴時の保護又浮き袋・クッション・ベット・ソファー等様々な用途に使用する安全補助用具に関する。
【背景技術】
【０００２】
従来の家庭浴槽で用水の消費量や光熱費の節約を目的として浴槽に立方体を沈め考案されたものである。（特許文献１参照）
【０００３】
従来の浮き輪は遊びを重視したものでただ浮かせて、機能的に遊ぶものである。（特許文献２参照）
【特許文献１】特開平10−192180号公報
【特許文献２】実開平10−3057418号公報
【考案の開示】
【考案が解決しようとする課題】
【０００４】
本考案が解決しようとする課題は、風呂はリラクゼーションの場所であるが、滑りやすく危険なところで介護時気をつけて介護作業をおこなうところである。今回浴槽内でも安全な介護作業を提供し、又家庭用水の最大の消費先である風呂や光熱費の節約も目指している。尚水遊びに使う浮き袋などにその使用方法を変えることにより活用ができ、安全面の改善も目的の一つである。更に使用者の使用目的及び感触性に対応でき、大きさや形が自由自在に変更可能な安全補助用具を提供する。
【課題を解決するための手段】
【０００５】
本考案は上記の目的を達成する為に、溶液又は空気の封入された複数の弾性体が袋状の梱包体に包まれた安全補助用具を提供する。尚本考案に用いる、溶液は水又は水に発光剤を混ぜた溶液・水より粘度の高いジェル状液などを指す。空気は一気圧前後の圧力をかけた状態で用いる。本考案で用いる弾性体とは、柔軟な布や・ゴム・ビニール・フエルト・化学繊維等のシート状物の中に前記した溶液や空気が封入されるものである。又梱包体を形成する袋は、布やゴム・ビニール・フエルト・化学繊維などのシートやメッシュで、弾性体が散乱しない様に包むものである。さらに梱包体に入れられる弾性体の数や大きさ・形については、使用目的・感触性で異なり、梱包体がメッシュの時は弾性体がはみ出さないメッシュの大きさとして弾性体の直径の三分の一以下が望ましくシートの時は弾性体を内部に入れても余裕のある大きさが望ましい。
【考案の効果】
【０００６】
本考案で溶液を封入した複数の弾性体を袋状の梱包体に入れた安全補助用具は、浴槽に入れて使用すると身体の圧力で梱包体内の弾性体が移動して身体の隙間を埋めることにより介護者の身体が固定できるので安全介護にも適し、又弾性体を浴槽内に入れて使用すると弾性体の容積分の用水量や光熱費の節約にもなる。溶液の代わりに空気を封入して、浮き袋とすると弾性体が数個破損しても安全面も問題なく、クッション・ソファー・ベットに使用すると弾性体が身体に密着してリラクゼーション効果も高まる。
【考案を実施するための最良の形態】
【０００７】
本考案の実施の形態を実施例となる図面を参照しながら説明する。図1は浴槽内の安全補助用具の斜視図である。図2は浮き袋に使用した安全補助用具の断面図である。図3は弾性体に水を封入したクッション・ソファー・ベットの斜視図である。図4は弾性体に空気を封入したクッション・ソファー・ベットの斜視図である。
【実施例１】
【０００８】
浴槽に入れる実施例を示す。図1の水を封入した弾性体１は厚さ１ｍｍ前後のゴム状の素材で直径20cm前後の球形である。梱包体上面側２は身体に優しい一片が２ｍ前後の布状素材で、下面側３は厚さ2ｍｍ前後・幅3cm前後の帯状ゴム素材で、7cm前後の正方形メッシュとして弾性体１が梱包体の内部で移動可能な余裕のある大きさである。
【実施例２】
【０００９】
浮き袋の実施例を示す。図2の空気を封入した弾性体４はビニール状素材で直径１０ｃｍ前後である。梱包体５は幅2cm前後の帯状布素材で３ｃｍ前後の正方形メッシュとして弾性体４が詰まるほどの大きさである。
【実施例３】
【００１０】
クッション・ソファー・ベットの実施例を示す。図３の水を封入した弾性体１は暑さ2ｍｍ前後のゴム状素材で直径３０ｃｍ前後の球形である。梱包体６はビニールシート素材の袋状で弾性体１が梱包体の内部で移動可能な大きさである。
【実施例４】
【００１１】
クッション・ソファー・ベットの実施例を示す。図４の空気を封入した弾性体４はビニール素材で直径３０ｃｍ前後である。梱包体５は幅5cm前後の帯状布素材で１０ｃｍ前後の正方形メッシュとして弾性体４が梱包体の内部で詰まるほどの大きさである。
【図面の簡単な説明】
【００１２】
【図１】本考案の実施例となる浴槽に使用する安全補助用具の斜視図である。
【図２】本考案の実施例となる浮き輪に使用する安全補助用具の断面図である。
【図３】弾性体に水を封入し、クッション等に使用した斜視図である。
【図４】弾性体に空気を封入し、クッション等に使用した斜視図である。
【符号の説明】
【００１３】
1    水を封入した弾性体
2    布状のシート素材
3    ゴム状のメッシュ素材
4    空気を封入した弾性体
5    布状のメッシュ素材
6    袋状のビニールシート素材
【図１】
0003114724.tif 000003
【図２】
0003114724.tif 000004
【図３】
0003114724.tif 000005
【図４】
0003114724.tif 000006
(57)【要約】      （修正有）【課題】糸を巻き取る回転体において、回転体の使用者の変更、或いは、巻き取る糸、ひもの種類の変更に伴う回転体に記載された情報の変更を簡便に可能とすること。【解決手段】側面、或いは、側面の一部を交換可能な構造とした回転体。【選択図】なし【実用新案登録請求の範囲】
【請求項１】
側面、或いは、側面の一部が交換可能なる構造をした、糸、ひもを巻き取る回転体。
【考案の詳細な説明】
【はじめに】
【０００１】  本考案は、考案者を同一人とする実用新案登録第３１０１９８０号及び第３１０７０５９号にある回転体を改良したものである。
【技術分野】
【０００２】  本考案は、糸、ひもを巻き取る回転体に関するものである。
【背景技術】
【０００３】  従来、側面に情報を記載する回転体は、その情報を変更する場合、記載し直すか回転体全部を交換する必要があった。
【考案の開示】
【考案が解決しようとする課題】
【０００４】  回転体の使用者の変更、或いは、巻き取る糸、ひもの種類の変更に伴う回転体に記載された情報の変更を簡便に可能とすること。【０００５】  本考案は、回転体に記載された情報を変更する場合、記載し直すことなく、或いは、回転体全部の交換をすることなく、簡便に情報の変更を可能とすることを目的としている。
【課題を解決するための手段】
【０００６】  情報を記載する側面、或いは、側面の一部が交換可能なる構造の回転体を提供する。【０００７】  この回転体の、情報を記載すべき側面、或いは、側面の一部を板状とし、回転体本体に着脱可能なる構造とする。
【考案の効果】
【０００８】  使用者の変更、或いは、巻き取る糸、ひもの種類の変更に伴って、回転体に記載の情報の変更が必要な場合、回転体全部を交換せず、回転体の側面、或いは、側面の一部のみを交換することによって目的を達する。
【考案を実施するための最良の形態】
【０００９】  考案を実施するための最良の形態を説明する。
回転体の側面，或いは，側面の一部を板状とし、回転体本体に着脱可能なると同時に回転体本体に対して回転しない構造とする。
【実施例】
【００１０】  実用新案登録証第３１０７０５９号、及び、第３１０１９８０において、これらの装置を使用する使用者が変更なる毎に、或いは、使用対称が変更なる毎に、本考案による板状とした側面或いは側面の一部を交換しながら使用する。
0003114746.tif 000002
【手続補正書】
【提出日】平成17年3月28日(2005.3.28)
【手続補正１】
【補正対象書類名】実用新案登録請求の範囲
【補正対象項目名】全文
【補正方法】変更
【補正の内容】
【実用新案登録請求の範囲】
【請求項１】
記録スペース又は情報を書きとどめるためのスペースを有する側面の部分、或いは、同部分を含む側面の全部が回転体本体に着脱可能なる板３、或いは、板４を有する回転体。
【手続補正２】
【補正対象書類名】明細書
【補正対象項目名】全文
【補正方法】変更
【補正の内容】
【考案の詳細な説明】
【はじめに】
【０００１】  本考案は、考案者を同一人とする実用新案登録第３１０１９８０号及び第３１０７０５９号にある回転体を改良したものである。
【技術分野】
【０００２】  本考案は、糸、ひもを巻き取る回転体に関するものである。
【背景技術】
【０００３】  従来、側面に情報を記載する回転体は、その情報を変更する場合、記載し直すか回転体全部を交換する必要があった。
【考案の開示】
【考案が解決しようとする課題】
【０００４】  回転体の使用者の変更、或いは、巻き取る糸、ひもの種類の変更に伴う回転体に記載された情報の変更を簡便に可能とすること。【０００５】  本考案は、回転体に記載された情報を変更する場合、記載し直すことなく、或いは、回転体全部の交換をすることなく、簡便に情報の変更を可能とすることを目的としている。
【課題を解決するための手段】
【０００６】  情報を記載する側面、或いは、側面の一部が着脱可能なる構造の回転体を提供する。【０００７】  この回転体の、情報を記載すべき側面、或いは、側面の一部を板状とし、回転体本体に着脱可能なる構造とする。
【考案の効果】
【０００８】  使用者の変更、或いは、巻き取る糸、ひもの種類の変更に伴って、回転体に記載の情報の変更が必要な場合、回転体全部を交換せず、回転体の側面、或いは、側面の一部のみを交換することによって目的を達する。
【考案を実施するための最良の形態】
【０００９】  考案を実施するための最良の形態を図面に従って説明する。
板３、４は回転体本体１に着脱可能なる構造とし、穴２にハンドル又はボスを挿入することにより、板３、４は回転体本体１に対して回転しない構造とする。
【実施例】
【００１０】  実用新案登録証第３１０７０５９号、及び、第３１０１９８０において、これらの装置を使用する使用者が変更なる毎に、或いは、使用対象が変更なる毎に、本考案による板状とした側面の全部或いは側面の一部分を交換しながら使用する。
【図面の簡単な説明】
【００１１】
【図１】図２、図３の断面の方向を表した回転体の斜視図である。
【図２】側面の記録スペースの部分即ち板３を、回転体本体１に着脱可能とする事を表す回転体の断面図である。
【図３】側面の全部即ち板４を、回転体本体１に着脱可能とする事を表す回転体の断面図である。
【符号の説明】
【００１２】    １      回転体本体
２      穴
３、４  板
【手続補正３】
【補正対象書類名】図面
【補正対象項目名】全文
【補正方法】変更
【補正の内容】
【書類名】                  図面
【図１】
0003114746.tif 000003
【図２】
0003114746.tif 000004
【図３】
0003114746.tif 000005
【手続補正書】
【提出日】平成17年6月26日(2005.6.26)
【手続補正１】
【補正対象書類名】実用新案登録請求の範囲
【補正対象項目名】全文
【補正方法】変更
【補正の内容】
【実用新案登録請求の範囲】
【請求項１】
糸、ひもが巻き取れる略円盤状の回転体本体、及び、記録スペース又は情報を書きとどめるためのスペースを有しこの回転体本体に着脱可能なる側面の一部分を構成する板或いは側面の全部を構成する板、からなる回転体。
(57)【要約】      （修正有）【課題】各パネルをボルトなどで組み立てることにより強固な避難箱が室内へ簡単に設置する事が出来、製造・運搬・設置共にローコストとなり、パネル組み立て構造により瓦礫に埋もれた際簡単に分解が出来、被災者の救出も安易となる。【解決手段】この考案は、柱を使わず強固で分割できる軽量な壁・床・天井パネルで構築され、全体幅半分程度の幅を持つ壁を交互に設置することで出入り口を四方に持つ構造となり、家屋倒壊の恐れのある時迅速に避難出来る箱状の構造物である。【選択図】図１
0003114750.tif 000002
【実用新案登録請求の範囲】
【請求項１】
（１）壁と出入り口を交互に配置した家屋倒壊時の避難箱。
（２）床と天井に補強構造を持つパネルを使用し、補強構造を持つ袖壁を入り口と交互に配置し、ボルト等で組み上げる構造を持つ強固な家屋倒壊時の避難箱の構造。
【考案の詳細な説明】
【技術分野】本考案は、地震等により家屋が倒壊し人が圧死などの災害から身を守る為の簡易設置式の避難箱である。
【背景技術】従来、住宅内部などでの使用において簡易に設置が出来る有効性の高い設備が無かった。
【考案の開示】
【考案が解決しようとする課題】住宅内に堅牢なエリアを設ける事は安易に考える事は出来るが、実際において簡単に設置が可能で十分な強度を持つものが無かった。また、強度を持たせるために箱構造の物を用意しても、入り口開口部を作ると強度が落ちるため、緊急時に中へ逃げ込むには制限があり適した構造の物がなかった。本考案は住宅へ簡単に設置が出来十分な退避効果をもたらす為に考案したものである。
【課題が解決しようとするための手段】
この考案は、基本構造に重量がある柱を使わず、軽量な角パイプなどを骨組みに持った壁を組み合わせる事で重量を軽減し、床・天井・壁の分けた部品を室内で組み立てる事で設置の簡易化を図る。
角パイプなどを組み合わせた強固な壁と床・天井で構築され、迅速に避難出来る出入り口を持つ、家屋倒壊時に避難する箱である。
【図２】
Ａは間口の半分程度の幅を持つ強固な壁であり、Ｂは天井と床部品で角パイプと合板などの組み合わせで強固なパネルである。
ＡとＢを
【図１】
のようにボルトなどで組み立てる。
Ｂは落下物や床から飛び出してくる構造材に対抗する強度を持つ。
Ｂの床と天井に強固な構造の壁Ａを交互に取り付けることで、広い出入り口を四方に持つ強固な箱が構築される。
【考案の効果】
壁を、箱の四方に設置する事で上からの荷重のみでなく斜め上方からの圧力にも絶える事が可能と成った。
また、壁を交互に設置する事で災害時でも四方から速やかに中へ避難が出来逃げ遅れ難くなった。
この構造により強固な避難箱が室内へ簡単に設置設置する事が出来、製造・運搬共にローコストとなり普及が見込まれる実用的な考案である。また、パネルの組み立て構造により瓦礫に埋もれた際簡単に分解が出来、被災者の救出も安易となる。
【考案を実施する為の最良の形態】
耐震構造の無い木造住宅内に設置する事で、地震発生時速やかに避難箱内へ退避する。
小型のものはテーブルや机の台として利用する。
中型の物は、常時人の居る部屋に置き緊急時に備える。
連結して中で休む事で就寝時の安全を確保する。
大型の物は部屋自体の補強としての利用出来る。
【実施例１】小さく作り、天井部へテーブルを設置する事で家具と兼用で使用が出来る。
【実施例２】部屋の内寸と同じ大きさの物を用いれば、家の補強になる。
【実施例３】連結する事が容易で、布団やベットを囲む事が簡単である。
【産業上の利用可能性】
【図面の簡単な説明】
【図１】正面図  「避難箱を正面から示した図である。背面図も同じ形となるので省略。」
【図２】部品の形状  「Ａは、壁構造部品で角パイプなどで組まれた骨組み状の壁部品である。」  「Ｂは、床・天井部品でＡのような構造体に合板などの板を貼り付けたパネル上の部品である。点線は内部補強を表している。」
【図３】  「避難箱を連結した状態である。実施例３」
【符号の説明】
【図１】
0003114750.tif 000003
【図２】
0003114750.tif 000004
【図３】
0003114750.tif 000005
【手続補正書】
【提出日】平成17年6月6日(2005.6.6)
【手続補正１】
【補正対象書類名】実用新案登録請求の範囲
【補正対象項目名】全文
【補正方法】変更
【補正の内容】
【実用新案登録請求の範囲】
【請求項１】
床と天井に補強構造を持つパネルを使用し、補強構造を持つ袖壁を入り口と交互に配置し、ボルト等で組み上げる構造を持った、家屋倒壊の時などに緊急避難する避難箱の構造。
(57)【要約】      （修正有）【課題】仕事の能率化を計り人件費の削減により経費の節約につながる小型重機移動式方向変換盤。【解決手段】鉄、アルミ、ステンレス、化学合板等製の方向変換盤であり、キャスターを使い人力で回転させる構成とした。【選択図】図１
0003114748.tif 000002
【実用新案登録請求の範囲】
【請求項１】
鉄、アルミ、ステンレス、化学合板等用い（キャスターを使い）人力で回転させる。
【考案の詳細な説明】
【考案の詳細な説明】
【０００１】公園，墓地等狭い通路での曲がり角など小型重機の方向変換に非常に苦労をしていた、何とか簡単に方向変換が出来ない物かと移動式方向変換回転盤を考案した。
【産業上の利用分野】
【０００２】上記の狭い通路に曲がり角が多い工事現場では移動式なので持運びが簡単、人件費の削減、工期短縮など経費の節約になりメリットが多い。
【背景技術】
【０００３】従来は重機を何回も切換し多くの手間がかかった。
【考案が解決する課題】
【０００４】重機の切換しがいらず１回で方向変換が出来、無難な労力がいらず人件費等経費の節約になる。
【課題を解決するための手段】
【０００５】方向変換回転盤により解決。
【作用】
【０００６】方向変換に使う。
【実施例】
【０００７】図面のように方向変換回転盤。
【考案の効果】
【０００８】狭い通路に曲り角の多い工事現場においては簡単に方向変換が出来しかも持ち運びが出来、仕事の能率があがり人件費の削減につながる。
【図面の簡単な説明】
【０００９】
【図１】本考案の平面図  移動式方向変換回転盤
【図２】本考案の施工図  側面図使用時
【図３】付属金具、備品  スロープ収納時
【符号の説明】
【００１０】１．移動式方向変換盤本体。
２．移動式方向変換盤上に重機が乗る。
３．本体を移動しやすくする為スロープ台収納。
【図１】
0003114748.tif 000003
【図２】
0003114748.tif 000004
【図３】
0003114748.tif 000005
【手続補正書】
【提出日】平成17年3月28日(2005.3.28)
【手続補正１】
【補正対象書類名】実用新案登録請求の範囲
【補正対象項目名】全文
【補正方法】変更
【補正の内容】
【実用新案登録請求の範囲】
【請求項１】
鉄、アルミ、ステンレス、化学合板等用い、自在キャスターを中心に上下に固定部と回転部を作り、組合せ回転台を作り。小型重機が自走方向転回が出来ぬ狭い場所でも小型重機移動式方向変換回転盤の上に小型重機がスロープを使い自走で乗り、作業者が希望する方向に自由に方向転回が出来る機械。
小型重機移動式方向変換回転盤。
【手続補正書】
【提出日】平成17年6月20日(2005.6.20)
【手続補正１】
【補正対象書類名】実用新案登録請求の範囲
【補正対象項目名】全文
【補正方法】変更
【補正の内容】
【実用新案登録請求の範囲】
【請求項１】
金属や化学合板を用いて作った、固定台▲１▼と回転台▲２▼の中間にキャスター（車輪）▲７▼を設け、組合せ回転台▲２▼にスロープ▲３▼を装備した、小型重機移動式方向変換回転盤。
(57)【要約】【課題】  手の届きにくい背中を洗う時、腕の代わりを担うための棒にスポンジを取り付けて洗い、再び取りはずして同スポンジで洗える状態にする。【解決手段】  棒の持ち手１の反対側に台座２を設け、乗せたスポンジの上に紐３を渡し、紐の端をフック４に掛けはずしする事で、スポンジを脱着可能にした。【選択図】  図１
0003114745.tif 000002
【実用新案登録請求の範囲】
【請求項１】
ゆるい曲線を持たせた棒の片側には台座を、もう片側には持ち手を設ける。台座にスポンジを乗せ、紐でスポンジの一部を強く押さえながら台座の裏に設けたフックに紐の端を掛けはずし可能にする。持ち手の付いた台座にスポンジが即座に脱着可能としたところを特徴とする、背中洗い用のスポンジ脱着棒である。
【考案の詳細な説明】
【技術分野】
【０００１】  本考案は、台座付き棒と浴用スポンジを即座に脱着可能にした皮膚洗浄補助用具に関するものである。
【背景技術】
【０００２】  浴室で背中を洗う方法としてはナイロンタオルの両端を持って背中を往復させるか、又は持ち手の先にブラシの付いた物を使っている。ブラシは毛の密集した場所に汚れが溜まり易い欠点が有り、浴用スポンジは石けんの泡立ちが良く肌に柔らかいが、背中の一部に手が届かない。
【考案の開示】
【考案が解決しようとする課題】
【０００３】  皮膚の汚れは石けんの細かい泡によって落ちるものなので、柔らかくて泡を立てやすいスポンジを使いたいが、背中の一部には手が届かない欠点を解決しようとするものである。
【課題を解決するための手段】
【０００４】  本考案は、腕の代わりを担う棒にスポンジを取り付ける事で解決したい。その方法は棒の片端に台座を設け、台座の裏にフックを数個付けておく。台座の片端に輪になった紐を取り付け、台座に乗せたスポンジの上をこの紐で強く押さえながらフックに掛けて固定する。スポンジは弾力性に富み、一部を強く押さえることにより凹凸が出来る。凸の面を皮膚に当てることで問題点を解決している。
【考案の効果１】
【０００５】  浴室で身体を洗っている時、今手に持っている石けんの泡立ったスポンジを、そのまま本考案の棒に即座に取り付け背中を洗い、その後即座に取りはずした同じスポンジを再び使い続けることが出来るので、新たに別の道具に石けんを付ける必要がない。
【考案の効果２】
【０００６】  洗う部分であるスポンジと柄にあたる棒が一体型になっていないため手入れが簡単であり、スポンジが傷んでも柄にあたる棒は使い続ける事が出来る。又、家族間で個々のスポンジを持ち、棒を共用しても清潔である。
【考案を実施するための最良の形態】
【０００７】  本考案の本体にあたる棒は、背中を洗う時の角度を計算に入れた曲線を付けておく。棒の片側には通常の浴用スポンジよりも小さめの台座を設け、もう片側には持ち手を設ける。台座の裏には数個のフックと、紐を取り付けるために一部が欠けた小さな穴を作っておく。素材は水を吸収しない軽いものを使い、手入れがし易いよう紐以外の本体を一体型にする。紐は皮膚に対し滑らかなものが良く、フックに掛けた際の全体の安定を考えると、少々の伸縮性を持つ素材が望ましい。
【実施例】
【０００８】  石けんの付いたスポンジを本考案の棒の台座に乗せた状態で、輪になった紐の端を持ち上げ、スポンジの上をこの紐で強く押さえながら台座の後ろへまわしてフックに掛ける。持ち手を持ち、スポンジの凸の面で背中を洗う。洗い終えた後にフックから紐をはずし、棒から離れたスポンジは再び手の届く範囲を洗うのに使用出来る。すなわち、身体を洗う時手の届かない所へ伸ばす腕の代わりとして本考案の棒を使用する。
【図面の簡単な説明】
【０００９】
【図１】見取り図
【図２】紐をはずした台座部分正面図
【図３】紐をはずした台座部分上面図
【図４】紐をはずした台座部分側面図
【符号の説明】
【００１０】１  持ち手
２  台座
３  紐
４  フック
５  紐取り付け用穴
６  紐誘導用の溝
【図１】
0003114745.tif 000003
【図２】
0003114745.tif 000004
【図３】
0003114745.tif 000005
【図４】
0003114745.tif 000006
【手続補正書】
【提出日】平成17年4月18日(2005.4.18)
【手続補正１】
【補正対象書類名】実用新案登録請求の範囲
【補正対象項目名】全文
【補正方法】変更
【補正の内容】
【実用新案登録請求の範囲】
【請求項１】
ゆるい曲線を持たせた棒の片側には台座を、もう片側には持ち手を設け、台座の端に取り付けた紐で台座に乗せたスポンジを巻き付けるように押えながら、紐の端は台座後ろに設けたフックに止めることでスポンジを台座に安定させる特徴を持つ、背中洗い用スポンジ脱着棒。
【請求項２】
ゆるい曲線を持たせた棒の片側には台座を、もう片側には持ち手を設け、台座の端に取り付けた紐で台座に乗せたスポンジを巻き付けるように押えながら、紐の端は台座後ろに設けたフック等の脱着可能器具に止めることでスポンジを台座に安定させる特徴を持つ、背中洗い用スポンジ脱着棒。